(57)【特許請求の範囲】
【請求項１】
少なくとも水栓本体と、該水栓本体に回転自在に連結された吐水管部と、を備える吐水管の連結構造において、
前記吐水管の前記水栓本体との連結部にキャップと第１の止め輪とガイドと第２の止め輪を備え、
前記第１の止め輪と第２の止め輪は、前記吐水管の外周壁上に一定間隔をおいて環状に設けられた溝に各々係留されると共に、
前記第１の止め輪が前記キャップと前記ガイドにはさまれ、前記吐水管を抜けなくするとともに回転自在に保持し、
前記第２の止め輪が前記ガイドの下端に隙間をもって位置し、前記第１の止め輪が機能しなくなった場合に、前記ガイドの下端に当接し前記吐水管の抜けを防止する
ことを特徴とする吐水管の連結構造。
【請求項２】
前記第１の止め輪が破損した場合に、前記吐水管が水圧により前記第２の止め輪が前記ガイドの下端に当接するまで上昇する
ことを特徴とする請求項１に記載の吐水管の連結構造。
【請求項３】
前記第２の止め輪が前記ガイドの下端に当接する際に、前記吐水管の基端部が該基端部をガイドしていたリングから外れて、前記吐水管が傾くことを特徴とする請求項１または２に記載の吐水管の連結構造。
【発明の詳細な説明】
【０００１】
【発明の属する技術分野】
本発明は湯水を出し止めする水栓に関する。
【０００２】
【従来の技術】
従来の水栓本体に回転自在に連結されて、吐水管先端部に開閉機能部を有する水栓の構成を、特開平１０−７３１６９により説明する。図１２は水栓の横断面図、図１３はその吐水管中途部のＧ−Ｇ部の断面図である。この水栓はカウンターに取り付けられて、吐水管部７８の先端部に温度調節及び開閉を行うバルブ部７２、及びこれを操作する操作ハンドル部７６を設けた構成のものであり以下に主要部の説明を行う。水及び湯は本体７７の下面に水密状に連結された給水管部６及び給湯管部７を通って本体７７内に導入され、本体７７内に各々配置された水流路１４及び湯流路１５を経由して吐水管７８に達する。この吐水管７８は本体７７の上側に設けられた開口部に挿入されており、ステンレス製の止め輪７５を、吐水管７８及び本体７７に各々設けられた環状の溝に係合させて本体７７と連結し、シール材８０により水栓外部への漏水及び湯水の混ざりを防止している。水流路１４は吐水管部７８の端部側壁に設けられた水入口７０に連通し、吐水管内給水路７１を経由して温度調節・開閉バルブ部７２に通じる。一方湯流路１５は本体７７の開口部底面を経由して、吐水管７８の基端部下面７９上に設けられた湯入口７３に連通し、吐水管内給湯路７４を経由して温度調節・開閉バルブ部７２に通じる。この水栓のバルブ部７２は湯水の温度調節機能と開閉機能を合わせ持ったものであり、所謂、一本のレバーで温度調節と開閉操作を行うことができるシングルレバータイプの水栓である。
【０００３】
【発明が解決しようとする課題】
この構成の水栓では前記バルブ部７２を止水した場合、吐水管基端部下面７９の環状の面積に垂直方向に、湯側の圧力が作用する構造となっており、この圧力により吐水管部７８全体を、本体７７に挿入している方向とは逆方向に持ち上げようとする力、すなわち吐水管７８が本体７７から抜ける方向に力が働くことになる。
ここで水側の圧力について言えば、水入口７０部付近において水側の圧力は吐水管７８に対して本体７７に挿入している方向と、本体７７から抜ける方向の相反する双方向に力が作用するため、水側の圧力は相対的にキャンセルされて吐水管７８が本体７７から抜ける方向には寄与しない。
【０００４】
また水道元圧より分岐して直圧式給湯装置を設置している場合には、止水時には湯側の圧力は水側の圧力、すなわち一次側圧力と同じになるため、湯側と言えども吐水管には本体から抜ける方向に大きな力が働くことになる。
この力は図１２の例においては、吐水管基端部下面７９の面積に水圧を乗じた値の力となり、例えば吐水管基端部の直径が２０ｍｍの場合ではその面積は、
（２０／２）2×π＝３１４ｍｍ2となり、
これにＪＩＳ規定の水圧０．７５ＭＰａが作用した場合には、吐水管が本体から抜ける方向に作用する力は、
３１４ｍｍ2×０．７５ＭＰａ＝２３５．５Ｎ
になる。さらに１ＭＰａや２ＭＰａなどの高い圧力のウォーターハンマーを受けた場合には、吐水管は本体から抜ける方向にさらに大きな力を受けることになる。
【０００５】
また吐水管先端部に開閉機能部を有した従来例に限らず、図１４に示すように、回転自在な吐水管を有する一般的な水栓において市販の浄水器や、整流とスプレー等の吐水種類の切り替え装置や、或は一時止水機能付きの吐水切り替え装置などを吐水管先端部に装着した場合においても、これらの器具内の複雑な流路が抵抗となって水栓本来の吐水量が著しく減少させられるため、吐水管内部には高い水圧が作用して、吐水管部には本体から抜ける方向に大きな力が働くことになる。
【０００６】
このような、吐水管に対して本体から抜ける方向に大きな力が作用する状況下においては、吐水管と本体とを抜け止めしている部品には大きな力が働き、長期的な開閉時の衝撃や水圧の変動などにより、これらの部品が疲労破壊などを起こして破損し、突然に吐水管が抜けて漏水するという被害が万一発生する可能性が考えられる。さらには吐水管を長期に渡って多数回左右に動かした場合には、抜け止め部品に摩耗や繰り返しによる強度劣化が進行して、部品の破損を加速する。従来例の場合ではステンレス製の止め輪７５を、本体７７に設けられた溝部に係合させて吐水管７８の抜け止めを行っており、本体７７の材料として一般に用いられている銅系の摩耗しやすい材料の場合には、本体部に設けられた溝が、係合するステンレスの止め輪７５により削られて摩耗して、溝部周辺の止め輪保持部が肉薄となり、吐水管７８にかかる力を支えきれなくなり、ある日突然、該保持部が破損してしまう可能性がある。
【０００７】
上記のような不具合を鑑みて、本発明では少なくとも水栓本体と、該水栓本体に回転自在に連結された吐水管部と、を備える吐水管の連結構造において、吐水管部を本体部に回転自在に連結保持する機能部がダメージを受けたとしても、吐水管が突然、水栓本体から抜けない吐水管の連結構造を提供することを目的とした。
さらに、吐水管部を本体部に回転自在に連結保持する機能部がダメージを受けたことが使用者にわかる連結構造を提供する。
【０００８】
【課題を解決するための手段】
本目的を達成するための第一の発明は、少なくとも水栓本体と、該水栓本体に回転自在に連結された吐水管部と、を備える吐水管の連結構造において、前記吐水管の前記水栓本体との連結部にキャップと第１の止め輪とガイドと第２の止め輪を備え、前記第１の止め輪と第２の止め輪は、前記吐水管の外周壁上に一定間隔をおいて環状に設けられた溝に各々係留されると共に、前記第１の止め輪が前記キャップと前記ガイドにはさまれ、前記吐水管を抜けなくするとともに回転自在に保持し、前記第２の止め輪が前記ガイドの下端に隙間をもって位置し、前記第１の止め輪が機能しなくなった場合に、前記ガイドの下端に当接し前記吐水管の抜けを防止することを特徴とした。これにより、第１の止め輪が破損した場合においても、第２の止め輪が機能することにより、吐水管が本体から抜けるのを防止することができると共に、水栓をそのまま継続して使用することもできる。
【０００９】
さらに第二の発明は、前記第１の止め輪が破損した場合に、前記吐水管が水圧により前記第２の止め輪が前記ガイドの下端に当接するまで上昇することを特徴とする。
吐水管が上昇することにより、使用者は該吐水管連結部の異常を認識して、メンテナンス会社に連絡を行う等の適切な処置を行うに至ることができる。
【００１０】
さらに第三の発明は、前記第２の止め輪が前記ガイドの下端に当接する際に、前記吐水管の基端部が該基端部をガイドしていたリングから外れて、前記吐水管が傾くことを特徴とした。
吐水管の傾きは、がたつきとなって現れるために、使用者は該吐水管連結部の異常を認識して、メンテナンス会社に連絡を行う等の適切な処置を行うに至ることができる。
【００１１】
【発明の実施の形態】
（実施例）
以下図面に基づき本発明を説明すると、図１は本発明の実施例を示す要部の断面図、図２はその実施例の外観図、図３はその実施例の分解斜視図、図４はその実施例の温度調節機能部が挿入される側の本体の側面図、図５はその実施例に用いる温度調節機能部の分解斜視図である。また図６と図７、及び図８と図９、及び図１０と図１１は、別の実施例の形態とそれが作用した状態を各々示した要部の断面図である。まず図１〜図５において本発明による水栓各部の構成を説明する。図２においては、水及び湯は各々給水管６及び給湯管７を経て水栓本体１内に流入し、本体部１の側面部に設けられた温度調節ハンドル部２の回転操作により所望の吐水温度に混合された後、吐水管３を経由して、吐水管部３の先端部に設けられた開閉バルブ部に至り、この開閉バルブに連動した開閉ハンドル部４の回転操作により吐水、止水が行われる。
【００１２】
カウンター面に取付けられる固定部５には、本体部１がその下部を嵌合させて止めねじ８で固定される。このとき固定部５内には給水管部６及び給湯管部７が挿貫される。給水管部６及び給湯管部７を各々通過した水と湯は、本体部１内の水流路１４及び湯流路１５を経由して、本体側面に設けられた開口部９に達する。開口部９の底部１０には、水開口穴１１及び湯開口穴１２及び吐水管部に通じる混合水開口穴１３が設けられている。
【００１３】
この開口部９には、パッキン２６を介して水密状に温度調節機能部６７が挿入固定される。温度調節機能部６７は、図５に示すように樹脂製のケーシング２３内に例えばＰＰＳ樹脂製の固定ディスク２４と、ポリアセタール樹脂製の可動バルブ２５が収納され、この固定ディスク２４には水用通孔２７、湯用通孔２８、混合水用通孔２９がパッキン２６を介して、本体底部１０面上の水開口穴１１、湯開口穴１２、混合水開口穴１３に対抗して設けられている。可動バルブ２５の一端はケーシング２３より突出してその軸３０に温度調節ハンドル部２が取付けられると共に、固定ディスク２４に対向する面には空洞部３１が設けられ、温度調節ハンドル部２を回転操作して可動バルブ２５を回転することにより、この空洞部３１と湯用通孔２８、水用通孔２７との重なり状況が変化して湯、水の混合比が変わる。
【００１４】
温度調節ハンドル部２は軸３０に固定される筒部１７と、この筒部１７の外周面に連設された円弧状のリング部１８で構成されており、このリング部１８が正面側に向くように軸３０に取付けられると共に、リング部１８がカウンター面と略平行になった状態では適温の混合水が吐出し、この位置より約４５度下方向に傾いた位置では水のみが、約４５度上方向に傾いた位置では湯のみが吐出するようになっている。ここで軸３０の基部に設けられた凸部３４は、ケーシング２３内に設けられた扇状の座繰り部３５に係合し、この座繰り部３５の範囲内においてのみ凸部３４は回転移動が可能であり、すなわちこれにより温度調節ハンドル部２の回転規制手段を構成している。
【００１５】
温度調節機能部６７の混合水用通孔２９を経た湯水は、本体部１内に形成された混合水開口穴１３及び混合水流路１６を経由して吐水管部３へと導入される。ここで本体部１にはその上面に吐水管部３の接続用開口部４０及びねじ部４９が設けられている。吐水管３の端部内周壁には中空部を有する円筒部材４２が、漏水防止のためのシール材４３および５１を装着して挿入され、止め輪４４により抜け止めされている。シール材４３及び５１は各々２個並列に間隔を有して装着されており、このシール材に挟まれた間隔にはグリスを封印して漏出を防ぎ、吐水管の回転を長期に渡って円滑に保っている。さらに吐水管３には、その端部にキャップ４５、第１の止め輪４６、及びガイド４７が挿嵌されて、ガイド４７の下端には第２の止め輪４８が隙間をもって位置し、本体の流路突起５０に装着されて、キャップ４５と本体ねじ部４９との螺合により本体部１に連結されている。さらに吐水管３の基端部には、本体開口部４０の底部に配置されたリング５２が嵌合して、吐水管部のがたつきを防いでいる。ここで第１の止め輪４６及び第２の止め輪４８は、吐水管３の端部外周壁に一定間隔をおいて設けられた環状の溝に各々係留されている。また第１の止め輪４６は樹脂製であり一部切り欠きを有しており、樹脂のばね性を利用してこの切り欠きを広げて、吐水管３の外周面に設けられた環状の溝に組付ける。また樹脂製であるためクリアランスが少ない状態で連結部に取付けることが可能で、吐水管の回転自在な摺動が滑らかに行えかつ、がたつきも抑制できる。
【００１６】
さらに水栓の使用初期に水圧を付加した状況下においては、吐水管３に取付けられた第１の止め輪４６は、キャップ４５の内周下部に押え込まれるように配置構成されており、吐水管３を回転自在に保持する第1の抜け止めとして機能している。また第２の止め輪４８とガイド４７との間には若干の隙間Ａを持たせているため、この状態では第２の止め輪４８は抜け止めには寄与していない。ここで第１の止め輪４６と第２の止め輪４８による抜け止めは、各々が独立して機能するようにしている。
【００１７】
吐水管３は銅管などの金属管を屈曲加工して中途部に変曲点を有する形状に形成されて、その先端側には開閉バルブ部６０が螺合により固定され、さらにその先端には混合水の出口となる吐水口６２が設けられている。開閉バルブ部６０はゴムまたはセラミックなどで形成された弁座部を有しており、この弁座部に連動したスピンドル６１に連結される開閉ハンドル部４の回転操作により、弁座部は作動して流路を開閉し混合水の出し止めを行う。
【００１８】
本発明の構成によれば、吐水管先端部の開閉バルブ部を止水すると、吐水管内に高い水圧が作用する条件下において水栓を長期的に使用した場合には、吐水管にはＨの円状面積の分だけ本体から抜ける方向に水圧による力が働く。ここで吐水管の内径全体に吐水管が抜ける力が作用しない理由は、円筒部材４２の上面の環状面積に対しては、吐水管が抜けない方向に水圧が作用するため、該面積の分だけは吐水管が抜ける方向への力がキャンセルされるためである。さて、吐水管が抜ける方向に作用する力による吐水管連結部へのダメージは、まず第１の抜け止めを構成している第１の止め輪４６に対して発生する。すなわち第１の止め輪４６においてその係合部４６ａは、吐水管３の外周壁に環状に設けられた溝に係合しており、またその肩部４６ｂはキャップ４５の内周下部に保持されている構成のため、第１の止め輪４６に対してせん断力が働き、このせん断力により柔らかい樹脂材料を使用している止め輪４６は、係合部４６ａと肩部４６ｂとが分断されていく方向に力を受ける。さらにこのせん断力が働いた状態のまま水栓が長期に渡って使用されると、係合部４６ａはその形状を徐々に喪失して第１の止め輪４６は破損し、吐水管の第１の抜け止めとしての機能を失う。
【００１９】
第１の止め輪４６が破損してその機能を失うと、吐水管はＡの距離だけ上昇して第２の止め輪４８がガイド４７の下端面に当接して、新たに吐水管の抜け止めとして機能する。
【００２０】
上記のように作用すれば吐水管には第１と第２の二重の抜け止めが施されているため、万一、第１の止め輪が破損しても、すぐに第２の止め輪が機能して、吐水管が突然抜け破損し漏水事故となることを防止できる。さらに第２の止め輪が機能している状態では、吐水管の位置が上昇するので使用者が異常を感じることができる上、さらにここに何らかの目印となるものを現れるようにすれば、より確実に使用者は吐水管部の異常を認識し適切なメンテナンスを行うことができる。
【００２１】
さらに本発明の別の実施の形態を図６及び図７により説明する。図６においては湯水の流路の構成は前述した図１と同様であり、図１との相違点としては、流路突起５０の外周壁に当接しているシール材５１を一箇所にし、またガイド４７の下端側を削除して短寸にして、ガイド４７の下端面と第２の止め輪４８との距離Ｂを大きくしたものである。またキャップ４５により隠蔽されている吐水管３の外周壁には、「取り替え時期です」等の文字４１がレーザーマーキング等により形成されている。レーザーマーキングであれば吐水管表面に凹状に文字が形成されるため、吐水管該部の回転摺動などによる摩耗にも強く好ましい。或いは文字以外では、注意を促す絵やマーク等を印刷やシールなどにより施してもよい。
【００２２】
この構成においての作用は、図１の実施例と同様の過程において第１の抜け止め部である第１の止め輪４６が破損した場合には、水圧により、吐水管は、第２の止め輪４８がガイド４７の下面に当たる位置まで距離Ｂだけ上昇して第２の抜け止め部が機能する。この時の状態を図７に示すと、キャップ４５の上側の吐水管の外周壁には前記した文字４１が現われる。また吐水管３は、上昇することによってその基端部が、保持ガイドされていたリング５２から外れて、傾きやがたつきが大きくなる。
【００２３】
上記のように第２の抜け止め部が機能することにより、「取り替え時期です」の注意情報の出現や、吐水管の傾きやがたつきのため、使用者は水栓の異常を容易に察知して、メンテナンス会社に連絡する等の適切な処置を行うことができ、吐水管が抜ける事態を避けることができる。
【００２４】
さらに本発明の別な実施の形態を図８及び図９により説明する。図８においては湯水の流路の構成は前述した図１と同様であり、図１との相違点としては、流路突起５０の上側外周に小径部５０ａを設け、また該突起部５０の外周壁に接しているシール材５１を一箇所とし、さらにはガイド４７の下端側を削除して短寸にして、この下端面と第２の止め輪４８との距離をＣとしたものである。ここで小径部５０ａ基部とシール材５１との距離は、Ｃより小さくしており、さらに小径部５０ａの周径寸法ではシール材５１はシール代が不足して完全には止水できず、軽微な漏水が発生する寸法関係としている。
【００２５】
この構成においての作用は、図１の実施例と同様の過程を経て、第１の抜け止め部である第１の止め輪４６が破損した場合には、水圧により、吐水管は、第２の止め輪４８がガイド４７の下面に当たる位置まで距離Ｃだけ上昇して、第２の抜け止め部が機能する。この時の状態が図９であり、シール材５１も距離Ｃだけ上昇して、シール材５１の内径側が小径部５０ａに当接する。シール材５１は小径部５０ａの位置では軽微な漏水が発生する寸法関係としているため、該部より漏水が発生し、漏水した水はキャップ４５の内径部４５ａおよび下端部４５ｂから水栓の外へ流れ出る。
【００２６】
上記の作用により、第１の止め輪が破損して第２の止め輪が機能した場合には、吐水管が水栓本体より上昇して、かつ水栓本体の上部より漏水が発生するため、使用者は水漏れという尋常ならぬ事態下において即刻に処置を行う必要に迫られて、吐水管部のメンテナンスが速やかに行われるに至り、吐水管が水栓本体から抜ける漏水事故を回避することができる。
【００２７】
さらに本発明の別な実施の形態を図１０及び図１１により説明する。図１０においては湯水の流路の構成は前述した図１と同様であり、この構成に対する図１との相違点としては、流路突起５０の外周壁にシール材を装着するための環状の溝を設けてシール材５４を配置し、また吐水管の下端部の内壁にテーパ形状５５を設けた。さらにはガイド４７の下端側を削除し短寸にして、この下端面と第２の止め輪４８との距離をＤとしたものである。ここでシール材５４に対して吐水管内壁の当接部が、上方向に距離Ｄだけずれてテーパ形状部５５に当接した場合には、シール材５４のシール代が不足して軽微な漏水が発生する寸法関係としている。
【００２８】
この構成においての吐水管連結部の作用は、図１の実施例と同様の過程において、第１の止め輪４６が破損した場合には、水圧により、吐水管は、第２の止め輪４８がガイド４７の下面に当たる位置まで距離Ｄだけ上昇して抜け止めが機能する。この時の状態が図１１であり、シール材５４には吐水管のテーパ部５５がわずかにしか当接しないため、シール代不足により該部より軽微な漏水が発生する。漏水した水はキャップ４５の内径部４５ａおよび下端部４５ｂから水栓の外へ流れ出る。
【００２９】
上記の作用により、第１の止め輪が破損して第２の止め輪が機能した場合には、前述した図８の実施例と同様な効果が得られる。すなわち吐水管が水栓本体より上昇して、かつ水栓本体の上部より漏水が発生するために、使用者は水漏れという尋常ならぬ事態下において即刻に処置を行う必要に迫られて、吐水管部のメンテナンスが速やかに行われるに至り、吐水管が水栓本体から抜ける漏水事故を回避することができる。
【００３０】
本発明は上述の実施例に限定されること無く、水のみ或いは湯のみ供給する単水栓や、図１２の従来例に取り上げたような吐水管先端部に温度調節部と開閉部を合せて配置したシングルレバー式水栓、また水栓の取り付けの形態がカウンター面に取付けられる台付きタイプではなく、壁取り付けなどの水栓にも実施が可能である。或は温度調節バルブ部として、湯水の混合比を自動的に制御する所謂サーモスタットタイプの混合栓で使用される温度調節バルブユニットを用いても良い。
【００３１】
【発明の効果】
本発明では少なくとも水栓本体と、該水栓本体に回転自在に連結された吐水管部と、を備える吐水管の連結構造において、該吐水管と本体部との連結部に、第１の止め輪と第２の止め輪を設けて、第１の止め輪が破損した場合には、第２の止め輪が機能できるように構成した。これにより吐水管先端部に浄水器等や開閉機能部を有するために吐水管内に高い水圧が作用して、吐水管連結部が万一ダメージを受けた場合でも、吐水管が水栓本体から突然に抜ける漏水事故を引き起こす不具合を避けることができる。
さらに、吐水管部を本体部に回転自在に連結保持する第１の止め輪がダメージを受けた場合に吐水管が上昇したり、傾いたりするので、使用者に異常が起きたことがわかる連結構造が提供できる。
【図面の簡単な説明】
【図１】  本発明の一実施例を示す要部の断面図である。
【図２】  同水栓の外観斜視図である。
【図３】  同、分解斜視図である。
【図４】  同、本体の温度調節機能部取り付け部の側面図である。
【図５】  同、温度調節機能部の分解斜視図である。
【図６】  本発明の別の実施の形態を示す要部の断面図である。
【図７】  図６の発明において第２の止め輪が機能した場合を示す要部の断面図である。
【図８】  本発明の別の実施の形態を示す要部の断面図である。
【図９】  図８の発明において第２の止め輪が機能した場合を示す要部の断面図である。
【図１０】  本発明の別の実施の形態を示す要部の断面図である。
【図１１】  図１０の発明において第２の止め輪が機能した場合を示す要部の断面図である。
【図１２】  従来の実施の形態を示す要部の断面図である。
【図１３】  図１２の吐水管Ｇ−Ｇ部の断面図である。
【図１４】  回転自在な吐水管の先端部に浄水器を装着した水栓の外観斜視図である。
【符号の説明】
Ａ…図１において第１の止め輪が破損した後、第２の止め輪が機能するに至る吐水管の移動量
Ｂ…図６において第１の止め輪が破損した後、第２の止め輪が機能するに至る吐水管の移動量
Ｃ…図８において第１の止め輪が破損した後、第２の止め輪が機能するに至る吐水管の移動量
Ｄ…図１０において第１の止め輪が破損した後、第２の止め輪が機能するに至る吐水管の移動量
Ｇ…図１２において従来例の吐水管の断面位置を表す符号
Ｈ…図１において吐水管が抜ける方向に水圧が作用する円状の面積
１…本体、２…温度調節ハンドル、３…吐水管、４…開閉ハンドル、
５…固定部、６…給水管、７…給湯管、８…止めねじ、
９…本体の温度調節側開口部、１０…本体の温度調節側開口部の底部、
１１…水開口穴、１２…湯開口穴、１３…混合水開口穴、
１４…水流路、１５…湯流路、１６…混合水流路、
１７…筒部、１８…リング部、２３…ケーシング、２４…固定ディスク、
２５…可動バルブ、２６…パッキン、２７…水用通孔、２８…湯用通孔、
２９…混合水用通孔、３０…軸、３１…空洞部、３４…凸部、
３５…座繰り部、４０…開口部、４１…文字、４２…円筒部材、
４３…シール材、４４…止め輪、４５…キャップ、
４５ａ…キャップの上面内径部、４５ｂ…キャップの下面外径部、
４６…第１の止め輪、４６ａ…止め輪の係合部、４６ｂ…止め輪の肩部、
４７…ガイド、４８…第２の止め輪、４９…ねじ部、５０…流路突起、
５１…シール材、５２…リング、５４…シール材、５５…テーパ部、
６０…開閉バルブ、６１…スピンドル、６２…吐水口、
６７…温度調節機能部、７０…水入口、７１…吐水管内給水路、
７２…温度調節・開閉バルブ部、７３…湯入口、７４…吐水管内給湯路、
７５…止め輪、７６…操作ハンドル部、７７…本体部、
７８…吐水管、７９…吐水管基端部下面、８０…シール材
【図１】
0004496640.tif 000002
【図２】
0004496640.tif 000003
【図３】
0004496640.tif 000004
【図４】
0004496640.tif 000005
【図５】
0004496640.tif 000006
【図６】
0004496640.tif 000007
【図７】
0004496640.tif 000008
【図８】
0004496640.tif 000009
【図９】
0004496640.tif 000010
【図１０】
0004496640.tif 000011
【図１１】
0004496640.tif 000012
【図１２】
0004496640.tif 000013
【図１３】
0004496640.tif 000014
【図１４】
0004496640.tif 000015